(57)【要約】      （修正有）【課題】印刷タスクを印刷した後でも、印刷タスクのステータスを確実に特定することを可能にする方法および相応する装置を提供する【解決手段】方法および相応する装置は、記録担体への印刷タスクの印刷を指示することと、印刷タスクに従って印刷された記録担体を担っている搬送体のＩＤを求めることと、位置決定手段に基づいて、搬送体の位置を求めることとを含んでおり、搬送体が位置決定手段を有しており、位置決定手段は、搬送体に配置されており、エネルギーが供給される能動的なＲＦＩＤトランスポンダを含み、搬送体の位置を求めることは、分散している複数のＲＦＩＤ読み取り器から、搬送体の位置に関する位置データを受信することと、分散している複数のＲＦＩＤ読み取り器の当該位置データに基づいて、前記搬送体の位置を求めることとを含む。【選択図】図３
2016108153.tif 000002
【特許請求の範囲】
【請求項１】
印刷タスクのステータスを求める方法であって、当該方法（３００）は、
・記録担体（２０）への前記印刷タスクの印刷を指示すること（３０１）と、
・前記印刷タスクに従って印刷された記録担体（２０）を担っている搬送体（２２１、２２８）のＩＤを求めること（３０２）と、
・位置決定手段に基づいて、前記搬送体（２２１、２２８）の位置を求めること（３０３）とを含んでおり、
前記搬送体（２２１、２２８）が前記位置決定手段を有しており、
前記位置決定手段は、前記搬送体（２２１、２２８）に配置されており、エネルギーが供給される能動的なＲＦＩＤトランスポンダを含み、
前記搬送体（２２１、２２８）の位置を求めること（３０３）は、分散している複数のＲＦＩＤ読み取り器から、前記搬送体（２２１、２２８）の位置に関する位置データを受信することと、分散している複数のＲＦＩＤ読み取り器の当該位置データに基づいて、前記搬送体（２２１、２２８）の位置を求めることとを含む、
ことを特徴とする、印刷タスクのステータスを求める方法。
【請求項２】
前記位置決定手段は、さらに、前記搬送体（２２１、２２８）に配置されているＧＰＳ受信器を含む、請求項１記載の方法。
【請求項３】
前記搬送体（２２１、２２８）は
・シート状の記録担体（２０）を有しているロール（２１、２８）のための担体、
および／または
・シート状の記録担体（２０）の１つまたは複数の用紙のためのプレートまたは搬送ボックス
のうちの１つまたは複数を含む、請求項１または２記載の方法。
【請求項４】
前記搬送体（２２１、２２８）のＩＤを求めること（３０２）は、
・前記印刷タスクのＩＤを求めること、および
・前記印刷タスクのＩＤと関連付けされている、１つまたは複数の搬送体（２２１、２２８）を求めること
を含んでいる、請求項１から３までのいずれか１項記載の方法。
【請求項５】
請求項１から４までのいずれか１項記載の方法であって、
・前記印刷タスクを印刷するプリンタ（１０）は繰出し器（２２）を含んでおり、
・前記繰出し器（２２）の搬送体（２２１）が検出されるように、分散されている複数のＲＦＩＤ読み取り器のうちの１つのＲＦＩＤ読み取り器を配置し、および／または、
・前記プリンタ（１０）は巻取り器（２７）を含んでおり、
・前記巻取り器（２７）の搬送体（２２８）が検出されるように、分散されている複数のＲＦＩＤ読み取り器のうちの１つのＲＦＩＤ読み取り器を配置し、および／または、
・印刷された記録担体（２０）を保管部内の１つまたは複数の箇所で保管し、
・前記１つまたは複数の保管箇所のうちのどの箇所に搬送体（２２１、２２８）があるのかを求めることができるように、当該１つまたは複数の保管箇所に、分散されている複数のＲＦＩＤ読み取り器のうち複数のＲＦＩＤ読み取り器を配置する、請求項１から４までのいずれか１項記載の方法。
【請求項６】
・前記印刷タスクのための、印刷されていない記録担体（２０）を含んでいる搬送体（２２１、２２８）のＩＤを、前記印刷タスクのＩＤと関連づけること、および／または
・その上に前記印刷タスクに従って印刷された前記記録担体（２０）が存在している前記搬送体（２２１、２２８）のＩＤを、前記印刷タスクのＩＤと関連づけることを含んでいる、請求項１から５までのいずれか１項記載の方法。
【請求項７】
前記印刷タスクのＩＤと、搬送体（２２１、２２８）のＩＤとの間の関連を格納することさらに含んでいる、請求項６記載の方法。
【請求項８】
第１の搬送体（２２１）から第２の搬送体（２２８）への、前記印刷タスクのための、前記記録担体（２０）の移動時には、
・前記印刷タスクのＩＤを前記第２の搬送体（２２８）のＩＤと関連づけ、さらに、
・前記印刷タスクのＩＤと前記第１の搬送体（２２１）との関連づけを解消する、請求項６または７記載の方法。
【請求項９】
印刷システム（１０）用の印刷タスク管理ユニット（２００）であって、当該印刷タスク管理ユニット（２００）は、
・前記印刷システム（１０）によって、記録担体（２０）に印刷タスクが印刷されるよう指示をする、
・前記印刷タスクに従って印刷された前記記録担体（２０）を担っている搬送体（２２１、２２８）のＩＤを求める、
・位置決定手段に基づいて、前記搬送体（２２１、２２８）の位置を求める、
ように構成されており、
前記搬送体（２２１、２２８）が前記位置決定手段を有しており、
前記位置決定手段は能動的なＲＦＩＤトランスポンダを含み、当該能動的なＲＦＩＤトランスポンダは、前記搬送体（２２１、２２８）に配置されており、かつ、エネルギーが供給され、
前記搬送体（２２１、２２８）の位置を求めることは、分散している複数のＲＦＩＤ読み取り器から、前記搬送体（２２１、２２８）の位置に関する位置データを受信することと、分散している複数のＲＦＩＤ読み取り器の当該位置データに基づいて、前記搬送体（２２１、２２８）の位置を求めることとを含む、
ことを特徴とする印刷タスク管理ユニット（２００）。
【請求項１０】
前記印刷タスク管理ユニット（２００）は、前記搬送体（２２１、２２８）の位置に関する情報を、当該印刷タスク管理ユニット（２００）の出力モジュールに出力するように構成されている、請求項９記載の印刷タスク管理ユニット（２００）。
【発明の詳細な説明】
【技術分野】
【０００１】
本発明は、印刷センターにおいて印刷タスクの場所を特定する方法および装置に関する。
【０００２】
印刷システム、殊に、高速印刷システムによって、典型的に、比較的短い時間で、多数の種々の印刷タスクが処理される。この種の印刷タスクはしばしば、印刷タスク管理ユニットにおいて（例えば、アウトプットマネージメントシステム（ＯＭＳ）において）管理される。この印刷タスク管理ユニットには、１つまたは複数の印刷システムが接続されている。しかしここで、印刷タスクの位置は多くの場合には、ＯＭＳに基づいて、印刷タスクが印刷システムの印刷機によって完全に、記録担体に印刷された時点までしか追跡することができない。
【発明の概要】
【発明が解決しようとする課題】
【０００３】
本明細書は、印刷タスクを印刷した後でも、印刷タスクのステータス、殊に印刷タスクの目下の位置、すなわち、印刷タスクの印刷された記録担体の目下の位置を確実に特定することを可能にする方法および相応する装置を提供するという技術的な課題に関する。
【課題を解決するための手段】
【０００４】
上述の課題は、印刷タスクのステータスを求める方法によって解決される。この方法は、
・記録担体への前記印刷タスクの印刷を指示することと、
・前記印刷タスクに従って印刷された記録担体を担っている搬送体のＩＤを求めることと、
・位置決定手段に基づいて、前記搬送体の位置を求めることとを含んでおり、
前記搬送体が位置決定手段を有しており、
前記位置決定手段は、前記搬送体に配置されており、エネルギーが供給される能動的なＲＦＩＤトランスポンダを含み、
前記搬送体の位置を求めることは、分散している複数のＲＦＩＤ読み取り器から、前記搬送体の位置に関する位置データを受信することと、分散している複数のＲＦＩＤ読み取り器の当該位置データに基づいて、前記搬送体の位置を求めることとを含む。
【０００５】
上述の課題は、さらに、印刷システム用の印刷タスク管理ユニットによって解決される。この印刷タスク管理ユニットは、
・前記印刷システムによって、記録担体に印刷タスクが印刷されるよう指示をする、
・前記印刷タスクに従って印刷された前記記録担体を担っている搬送体のＩＤを求める、
・位置決定手段に基づいて、前記搬送体の位置を求める、
ように構成されており、
前記搬送体が位置決定手段を有しており、
前記位置決定手段は、前記搬送体に配置されており、エネルギーが供給される能動的なＲＦＩＤトランスポンダを含み、
前記搬送体の位置を求めることは、分散している複数のＲＦＩＤ読み取り器から、前記搬送体の位置に関する位置データを受信することと、分散している複数のＲＦＩＤ読み取り器の当該位置データに基づいて、前記搬送体の位置を求めることとを含む。
【０００６】
有利な実施形態は、殊に、従属請求項に記載されている。
【０００７】
１つの態様では、印刷タスクのステータスを求める方法が記載されている。この方法は、記録担体上に印刷タスクを印刷することの指示を含む。さらに、印刷タスクのＩＤ（ないしは識別子）が記録担体上に印刷されることが指示される。この方法はさらに、搬送体のＩＤ（ないしは識別子）を求めることを含む。この搬送体の上には、印刷タスクに従って印刷された記録担体が存在する。ここでこの搬送体は、位置決定手段を有している。さらに、この方法は、この位置決定手段に基づいて搬送体の位置を求めることを含んでいる。
【０００８】
別の態様では、印刷システムのための印刷タスク管理ユニット（例えば、アウトプットマネージメントシステム）が記載されている。この印刷タスク管理ユニットは、印刷システムによって印刷タスクが記録担体に印刷されることを指示するように構成されている。さらに、印刷タスクのＩＤが記録担体に印刷されることが指示される。印刷タスク管理ユニットは、さらに、搬送体のＩＤを特定するように構成されている。この搬送体の上には、印刷タスクに従って印刷された記録担体が存在する。ここでこの搬送体は、位置決定手段を有している。さらに、印刷タスク管理ユニットは、位置決定手段を用いて搬送体の位置を特定するように構成されている。
【０００９】
別の態様では、ソフトウエア（ＳＷ）プログラムが記載されている。このＳＷプログラムは、プロセッサ上（例えばコンピュータ／サーバー上）で実行され、これによって本明細書に記載された方法が実行されるように構成可能である。
【００１０】
別の態様では、記録媒体が記載されている。この記録媒体は、ＳＷプログラムを含み得る。これは、プロセッサ上で実行され、これによって本明細書に記載された方法が実行されるように構成されている。
【００１１】
以下では本発明の実施例を概略図に基づき詳細に説明する。
【図面の簡単な説明】
【００１２】
【図１】ロール紙用デジタルプリンタの例示的な構造に基づいた印刷システムの前面図（ロールツーロール構造）
【図２】印刷システムの例示的なコンポーネント
【図３】印刷タスクの位置を求めるための例示的な方法のフローチャート
【発明を実施するための形態】
【００１３】
図１によれば、記録担体２０に印刷するためのデジタルプリンタ１０は、トナーベースの印刷画像を記録担体２０に印刷する１つまたは複数の印刷機構１１ａ〜１１ｄおよび１２ａ〜１２ｄを有している。記録担体２０として、図示のように、シート状の記録担体２０が、繰出し器２２によってロール２１から繰出され、第１の印刷機構１１ａに供給される。ロール２１は典型的に、可動の搬送体２２１上（例えばロール芯上）に配置されている。これによって、記録担体２０を備えたロール２１を、デジタルプリンタ１０の方へ動かすことができる。定着ユニット３０内では、印刷画像２０’が記録担体２０上に定着される。それに続いて記録担体２０は、巻取り器２７によってロール２８に巻き取られる。ロール２８も典型的に、可動の搬送体２２８上（例えばロール芯上）に配置されている。これによって、印刷された記録担体２０を備えたロール２８を、デジタルプリンタから出すことができる。図１に示された構造は、ロールツーロール印刷システムとも称される。択一的に、記録担体２０は、定着ユニット３０の出口で、カッターまたは紙切断器（図示されていない）によって、個々の用紙に分割される。この場合にはこれらの用紙も、デジタルプリンタ１０の端部で、適切な可動の搬送体２２８上（例えばプレート上または容器内）に収容される。
【００１４】
図１は、電子写真の原理に基づくデジタルプリンタ１０を表している。この明細書に記載された発明が、他のタイプのデジタルプリンタ１０にも使用可能であることに留意されたい（例えば、トナープリンタ、インクプリンタ並びにオフセットプリンタ）。
【００１５】
図１に示されている構造では、シート状の記録担体２０は、４つの印刷機構１１ａ〜１１ｄによって前面側が、そして４つの印刷機構１２ａ〜１２ｄによって背面側がフルカラーで印刷される（いわゆる４／４コンフィグレーション）。これのために記録担体２０は、操出し器２２によってロール２１から繰出され、任意の調節機構２３を介して第１の印刷機構１１ａに供給される。調節機構２３内では、記録担体２０が適切な材料によって前処理若しくはコーティングされる。コーティング材（これはプライマーとも称される）として有利にはワックスや同等な化学的材料を用いることが可能である。
【００１６】
続いて記録担体２０は、まずは、第１の印刷機構１１ａの後に続く一連の印刷機構１１１ｄまで供給され、そこでは前面側のみが印刷される。印刷機構１１ａ〜１１ｄの各々は、記録担体２０を、通常、異なる色ないしは異なるトナー材料、例えば電磁的に読み取り可能なＭＩＣＲトナーで印刷する。
【００１７】
記録担体２０は、前面側の印刷の後、反転ユニット２４内で反転され、他の印刷機構１２ａ〜１２ｄに背面側印刷のために供給される。反転ユニット２４の領域には、記録担体２０を背面側印刷のために準備する別の調節機構（図１には示されていない）が配置可能である。それによって、前面側印刷画像がさらなる搬送の際に、後続の印刷機構によって、機械によって、損傷を受けることが避けられる。
【００１８】
印刷機構１２ｄの下流側には典型的にレジスタユニット２５が設けられており、このレジスタユニットによって、記録担体２０上に、印刷画像２０’に依存することなく（殊に印刷画像２０’外に）印刷されたレジスタマークが評価される。それにより、横方向および縦方向のレジスタマーク（１つのカラードットを形成する原色ドットは、相互に上下で若しくは局所的に非常に近接して配置されていなければならず、カラーマークないし４色マークとも称される）並びにレジスタ（前面側および背面側は局所的に正確に一致されなければならない）が設定でき、これによって品質的に良好な印刷画像２０’が得られる。
【００１９】
レジスタユニット２５の下流側には定着ユニット３０が設けられており、この定着ユニット３０によって記録担体２０上に印刷画像２０’が定着される。定着ユニット３０の下流側には、トラクション機構２６が設けられており、このトラクション機構２６は、当該領域内にさらなる駆動部を設けることなしに、全ての印刷機構１１ａ〜１２ｄおよび定着ユニット３０を通った記録担体１２０を引っ張る。なぜなら記録担体２０のための摩擦駆動部によって、まだ定着していない印刷画像２０’がこすり取られる危険性が生じるからである。
【００２０】
このトラクション機構２６は、記録担体２０を巻取り器２７に供給し、この巻取り器２７は印刷された記録担体２０を巻き取る。択一的に、記録担体２０は、紙切断器によって、印刷された個々の用紙に切断される。
【００２１】
印刷機構１１，１２および定着ユニット３０のもとでは、デジタルプリンタ１０のための全ての供給装置、例えば空調モジュール４０、エネルギー供給部５０、コントローラ６０、液体制御ユニット７１や様々な液体用保管容器７２などの液体管理部７０が集中的に配置されている。液体として、特に純粋な担体液、高濃度の液体現像剤（担体液に比べてトナー粒子の割合が高い）およびしょう液（液体現像剤＋電荷制御剤）は、デジタルプリンタ１０に供給するために必要であり、また廃棄すべき液体のための廃棄容器や洗浄液のための容器も必要である。
【００２２】
記録担体２０は、紙、厚紙、ボール紙、金属、プラスチックおよび／またはその他の適切なおよび印刷可能な材料によって製造可能である。
【００２３】
図２は、印刷システムの例示的なコンポーネントを示している。これは、印刷タスク管理ユニット２００と、デジタルプリンタ１０のコントローラ６０とを含んでいる。印刷タスク管理ユニット２００は、印刷タスクを、デジタルプリンタ１０のコントローラ６０に伝送するように構成されているプリンタドライバを含んでいる。印刷タスクは殊に、印刷されるべき印刷データ２０３を含んでいる。さらに、印刷タスク用の印刷リソースは、コントローラ６０に伝送可能である。印刷リソースおよび／または印刷データ２０３は、印刷タスク管理ユニット２００のメモリ２０２に格納される。印刷リソースおよび／または印刷データ２０３は、インタフェース（例えばＩＰＤＳ（Intelligent Printer Data Stream）インタフェース）を介して、コントローラ６０に伝送される。
【００２４】
印刷タスク管理ユニット２００は、１つまたは複数の印刷タスク（印刷ジョブとも称される）を管理するように構成されている。殊に、印刷タスク管理ユニット２００は、一連の印刷タスクを設定し、次のことを保証するように構成されている。すなわち、記録担体２０が、できるだけデジタルプリンタ１０を止めることなく印刷されるように、一連の印刷タスクがデジタルプリンタ１０によって印刷されることを保証するように構成されている。
【００２５】
印刷タスクが記録担体２０上に印刷されると、印刷タスクは印刷タスク管理ユニット２００内で、処理されたものとしてマークされる。印刷タスクはこの場合、物理的に印刷された記録担体２０として存在する。
【００２６】
例えば、処理された印刷タスクは、１つまたは複数の印刷されたロール２８（またはロール２８の一部分のみ）および／または多数の印刷された用紙に相当する。印刷タスク管理ユニット２００は典型的には、どのロール（１つないしは複数のロール）２８上に、および／または、どの用紙上に、処理された印刷タスクが存在するのかに関する情報を得ていない。これは、識別が、印刷タスクのタスクＩＤ（例えば記録担体２０上のバーコード）を介してのみ行われる場合には、処理された印刷タスク（すなわち、印刷された記録担体）を後の時点で効率的に識別し、見出す際に、ロジスティックな問題になり得る。
【００２７】
上述したように、記録担体２０は典型的に、可動の搬送体２２１、２２８上に配置される。搬送体２２１、２２８は、例えば、ロール２１、２８用の担体である、または、用紙を担うプレートである。可動の搬送体２２１、２２８を用いて、印刷されていない記録担体２０または印刷された記録担体２０が保管され、保管部とプリンタ１０との間で動かされる。
【００２８】
印刷タスクは、印刷タスク管理ユニット２００において、典型的に、ＩＤ、すなわちタスクＩＤを有している。このタスクＩＤによって、印刷タスクを一義的に識別することができる。これらのタスクＩＤは、例えば、電子的に読み出し可能な特徴に基づいて（例えば、バーコードを介して）、記録担体２０に移される。さらに、可動の搬送体２２１、２２８にＩＤを設けることができる。このＩＤによって、可動の搬送体２２１、２２８を一義的に識別することができる。印刷タスクは、処理中に、可動の搬送体２２１、２２８の１つまたは複数のＩＤと関連付けされる。これらの搬送体は、印刷タスクの実現に使用される記録担体２０を担う。例えば、ロール２１の搬送体２２１は、印刷タスクと関連付けされる。それによって、記録担体２０の少なくとも一部が印刷タスクの印刷データで印刷される。さらに、ロール２８の搬送体２２８は、印刷タスクと関連付けされる。この搬送体の上には、印刷タスクの印刷画像が印刷された記録担体２０が存在している。
【００２９】
殊に、このようにして、印刷タスクのＩＤとともに、搬送体２２１、２２８の１つまたは複数のＩＤも格納可能であり、必要な場合に呼び出し可能である。従って、印刷タスク終了後にも、どの搬送体２２８上に、相応する、印刷された記録担体２０が存在するのかを特定することができる。
【００３０】
搬送体２２１、２２８は、位置決定手段を有し得る。この位置決定手段は、搬送体２２１、２２８の位置を求めることを可能にする。例示的な位置決定手段は、ＲＦＩＤ（無線ＩＤタグ）−トランスポンダであり、殊にこれは、能動的なＲＦＩＤ−トランスポンダである。これにはエネルギーが供給され、長い到達距離を超えても、適切な読み取り器によって識別可能である。択一的にまたは付加的に、ＧＰＳ（グローバル・ポジショニング・システム）受信器を位置決定手段として使用することができる。
【００３１】
換言すれば、搬送体２２１、２２８は、搬送体２２１、２２８の場所を突き止めることを可能にする手段を有し得る。場所の突き止めは、分散された多数のＲＦＩＤ読み取り器に基づいて行われる。これによって、どの場所に（例えば保管部におけるどの場所に）搬送体２２１、２２８が存在しているのかを特定することができる。ＧＰＳ受信器を使用する場合、ＧＰＳ受信器によって求められた座標は、搬送体２２１、２２８の位置を特定するために使用される。求められた座標は、送信モジュールから、搬送体２２１、２２８に送信される。ＧＰＳ受信器と送信モジュールは、ＧＰＳ送信機またはＧＰＳ追跡器の一部であり得る。
【００３２】
印刷タスク管理ユニット２００は、印刷タスクのＩＤと、印刷タスクの処理の範囲内で使用される搬送体２２１、２２８のＩＤを検出するように構成されている（例えば、入力モジュール２０１を用いて）。入力モジュール２０１は、例えばスキャナーまたはＲＦＩＤ読み取り器またはＧＰＳ−ＩＤ読み取り器を含み得る。さらに、印刷タスク管理ユニット２００を、使用されている搬送体２２１、２２８の位置を求めるように構成することもできる（例えば、位置決定モジュール２０４を用いて）。位置決定モジュール２０４は、例えば、ＲＦＩＤ−読み取り器、または、ＧＰＳ座標を受信するモジュールを含み得る。使用されている搬送体２２１、２２８の位置を、印刷タスクとの関連において格納することができる。従って、印刷タスクの処理後にも、印刷タスクのステータス（殊に保管箇所）を確実に求めることができる。
【００３３】
印刷タスク管理ユニット２００をさらに、印刷タスクに使用されている１つまたは複数の搬送ＩＤを更新するように構成することができる。殊に、各時点で、その上に印刷タスクの記録担体２０が目下存在している、１つまたは複数の搬送体２２１、２２８の、１つまたは複数の搬送ＩＤを識別することができる。例えば、印刷タスク管理ユニット２００は次のことを保証することができる。すなわち、（目下使用されている１つまたは複数の搬送体２２１、２２８の）目下有効の搬送ＩＤのみが、印刷タスクに割り当てられている、ことを保証することができる。その上に、印刷タスクの記録担体２０がもはや存在していない、１つまたは複数の搬送体２２１、２２８の、１つまたは複数の搬送ＩＤは、無効であることが示される、および／または、印刷タスクとの関連付けが解除される。例えば各時点でタスクＩＤを、その上に、このタスクＩＤの印刷タスクの記録担体２０が目下存在している１つまたは複数の搬送ＩＤとのみ関連付けることができる。択一的に、過去に印刷タスクの記録担体２０がその上に存在していた１つまたは複数の搬送体２２１、２２８の搬送ＩＤを、「もはや使用されていない」として示すことができる。
【００３４】
搬送ＩＤを使用することによって、印刷タスクの製品所在場所を効率的に監視することができる。殊に、記録担体２０の搬送体２２１、２２８で位置決定手段を用いることによって、印刷製品または印刷タスクの自動的かつ確実な発見（位置特定）を行うことが可能になる。印刷タスクの場所は、例えば、配置図において、印刷タスク管理ユニット２００の適切な表示機器（コンピュータモニター、タブレット、スマートフォン）に表示される。これによって、半製品または完成製品を見つけ出すまでの時間が格段に低減される。これは、印刷製品の製造の効率上昇につながる。
【００３５】
上述したように、中間製品は典型的に、可動ロール２２１、２２８（これらは主に、複数の印刷タスクを含んでいる）上またはプレート２２１、２２８（これらは主に１つの印刷タスクを含んでいる）上に保管される。これらの搬送体２２１、２２８のそれぞれは、一度、固定のＲＦＩＤトランスポンダに割り当てられ、搬送体２２１、２２８に取り付けられる（例えば、搬送体２２１、２２８の製造時または購入時に直接）。使用されている搬送体２２１、２２８のＩＤは、印刷タスク管理ユニット２００によって検出される。このような搬送体ＩＤの消去は、廃棄時にはじめて（例えば、プリンタ１０の出口で巻取りのために使用されるロール芯の廃棄時、故障によるプレートの廃棄時等）行われる。場合によっては、供給時に、印刷用紙にＲＦＩＤトランスポンダを設けることもできる。
【００３６】
印刷センターの特定の箇所に、ＲＦＩＤ読み取り器を設けることができる。場所の例は、ロール繰出し器２２の箇所、ロール巻取り器２７の箇所、ロール保管部、プレート保管部、プレート取り出し部、プレート供給部等である。
【００３７】
印刷製造開始時に、印刷タスク管理ユニット２００によって（すなわちＯＭＳによって）、ジョブマーキング（例えばバーコードによるジョブマーキング）に対して付加的に、目下終了した製造ステップ後の印刷タスクの最後の保管もマークされる。これによって、印刷タスクの内容だけでなく、この時点からの保管場所も印刷タスク管理ユニット２００内で既知であり、適切に表示される。
【００３８】
従って印刷ステップは、より迅速に実行される。なぜなら、所望の搬送体２２１、２２８の場所を常に特定することができるからである。次のステップの製造は、場合によっては、搬送体２２１、２２８のＩＤも、ジョブＩＤもまたはページＩＤも、印刷タスク管理ユニット２００内に事前に蓄積されたデータと一致する場合にのみ行われる。従って、製造過程におけるエラーが回避される。
【００３９】
図３は、印刷タスクの位置を求めるための例示的な方法３００のフローチャートを示している。殊に、示された方法３００に基づいて、印刷タスクの場所を求めることができる。この方法３００は、印刷タスクを記録担体２０上に印刷する指示３０１を含む。殊に、プリンタ１０は、記録担体２０上に印刷タスクの印刷データを印刷するように指示される。さらに、印刷タスクのタスクＩＤ（例えばバーコード）を記録担体２０に印刷するように指示することが可能である。
【００４０】
方法３００はさらに、印刷タスクに従って印刷された記録担体２０がその上に存在する搬送体２２１、２２８のＩＤを求めること３０２を含む。ここで搬送体２２１、２２８は、（殊に電子的な）位置決定手段を有しており、これによって、自動的に、搬送体２２１、２２８の位置を特定することができる。この位置決定手段は、殊にＲＦＩＤトランスポンダを含み得る。これは、搬送体２２１、２２８に配置されている、および／または取り付けられている。択一的にまたは付加的に、位置決定手段はＧＰＳ受信器を含む。このＧＰＳ受信器は、搬送体２２１、２２８のＧＰＳ座標を求めるように構成される。さらに、搬送体２２１、２２８は、送信モジュールを含み得る。これは、求められたＧＰＳ座標を送信するように構成されている。搬送体２２１、２２８の位置は、送信されたＧＰＳ座標に基づいて、印刷タスク管理ユニット２００によって求められる。ＧＰＳ受信器および送信モジュールは、搬送体２２１、２２８に配置されているＧＰＳ追跡器またはＧＰＳ送信器の一部であり得る。
【００４１】
この方法３００はさらに、位置決定手段に基づいて搬送体２２１、２２８の位置を求めること３０３を含んでいる。従って、効率的に、作成された印刷タスクの場所を突き止めることができる。これによって、印刷タスクのさらなる処理が容易になり、加速される。
【００４２】
搬送体２２１、２２８は、シート状の記録担体２０を備えたロール２１、２８のための担体を含み得る。これは殊に、ロールツーロール構造またはロールツーシート構造のプリンタ１０の場合である。択一的にまたは付加的に、搬送体２２１、２２８は、シート状の記録担体２０の１つまたは複数の用紙に対するプレートまたは搬送ボックスを含み得る。これは殊に、ロールツーシート構造またはシートツーシート構造のプリンタ１０の場合である。
【００４３】
この方法３００はさらに、印刷タスクに対する印刷されていない記録担体２０を含んでいる搬送体２２１、２２８のＩＤを印刷タスクのＩＤと関連づけることを含み得る。搬送体２２１、２２８のＩＤは、この明細書において搬送ＩＤと称され、印刷タスクのＩＤはこの明細書において、タスクＩＤとも称される。ここでＩＤは典型的に、印刷タスクないしは搬送体２２１、２２８に対する一義的な符号である。換言すれば、ＩＤによって次のことが可能になる。すなわち、印刷タスクないし搬送体２２１、２２８を印刷タスク管理ユニット２００内で一義的に識別することが可能になる。ＩＤは、例えば、多数の記号（文字、数字、特別な記号等）を含み得る。タスクＩＤによって、印刷タスク、例えば、印刷タスクの格納場所を、一義的に識別することができる。印刷タスク管理ユニット２００によって処理された各印刷タスクを、異なるタスクＩＤに割り当てることができる。
【００４４】
搬送ＩＤによって、搬送体２２１、２２８（例えば特定のロール芯または特定のプレート）を一義的に識別することができる。印刷タスク管理ユニット２００によって管理される各搬送体２２１、２２８を、他の搬送ＩＤに割り当てることができる。この搬送ＩＤに基づいて、例えば、搬送体２２１、２２８の特徴を求めることができる（搬送体２２１、２２８の種類；搬送体２２１、２２８の色；搬送体２２１、２２８の位置決定手段；等）。殊に、搬送ＩＤを介して一義的に、この搬送ＩＤに相応するどの位置決定手段（例えばどのＲＦＩＤトランスポンダまたはどのＧＰＳ送信機）を搬送体２２１、２２８が有しているのかが一義的に識別される。例えば、位置決定手段もＩＤを有し得る。これは位置決定手段ＩＤと称される。位置決定手段に基づいて搬送体２２１、２２８の位置を求める際に、この位置決定手段の位置決定手段ＩＤも求めることができる。位置決定手段ＩＤを、搬送ＩＤに割り当てることが可能である。例えば、位置決定手段ＩＤは搬送ＩＤに相当し得る。殊に、２つのＩＤが同じであってよい。まずは、位置決定手段の位置およびその位置決定手段ＩＤが求められる。位置決定手段ＩＤと搬送ＩＤとの間の割り当てに基づいて、相応する搬送ＩＤを有する搬送体２２１、２２８の位置を求めることができる。
【００４５】
この方法３００はさらに、その上に印刷タスクに従って印刷された記録担体２０が存在する搬送体２２１、２２８のＩＤを、印刷タスクのＩＤと関連づけすることを含む。印刷タスクのＩＤと、搬送体２２１、２２８のＩＤとの間の１つまたは複数の関連づけを格納することができる。殊に、この１つまたは複数の関連づけは、印刷タスクのＩＤと関連して格納される。
【００４６】
さらに、第１の搬送体２２１から第２の搬送体２２８への印刷タスク用記録担体２０の移動時には、この印刷タスクのＩＤを第２の搬送体２２８のＩＤと関連づけすることができ、この印刷タスクのＩＤと第１の搬送体２２１のＩＤとの関連づけを解除することができる。換言すれば、処理プロセスにおける搬送体２２１、２２８の移動時には、搬送体２２１、２２８の目下の有効性を考慮するおよびモニタリングすることができる。
【００４７】
目下使用されている１つまたは複数の搬送体のＩＤを、印刷タスクのＩＤと関連づけることによって、容易に、印刷タスクのＩＤを問い合わせることによって、１つまたは複数の（目下の）、関連する搬送体２２１、２２８の１つまたは複数のＩＤを求めることができる。従って殊に、搬送体２２１、２２８のＩＤを求めること３０２は、印刷タスクのＩＤを求めること、および、（場合によっては目下の時点で）印刷タスクのＩＤに関連づけされている１つまたは複数の搬送体２２１、２２８を求めることを含んでいる。
【００４８】
さらに、搬送体２２１、２２８の恒久的なアップデートを行うことができる。これは、各時点で、目下使用されている１つまたは複数の搬送体２２１、２２８を求めることができることを保証するためである。さらに、１つまたは複数の、もはや使用されていない搬送体２２１、２２８に対する関連付けを解消することができる。
【００４９】
搬送体２２１、２２８の位置を求めることは、搬送体２２１、２２８の位置に関する位置データを、ＲＦＩＤ読み取り器（ＲＦＩＤトランスポンダの使用時）から、および／または、ＧＰＳ送信機（これを例えば、搬送体２２１、２２８に配置することが可能である）から受信することを含み得る。印刷タスクを印刷するプリンタ１０は、例えば繰出し器２２を含み得る（例えばロール２１に対して）。この場合にはＲＦＩＤ読み取り器を、繰出し器２２の搬送体２２１が検出可能であるように配置することができる。択一的にまたは付加的に、プリンタ１０は巻取り器２７を含み得る。この場合にはＲＦＩＤ読み取り器を、巻取り器２７の搬送体２２８が検出可能であるように配置することができる。択一的または付加的に、印刷された記録担体２０は、１つまたは複数の箇所で、収容部内に収容される。１つまたは複数の箇所で、保管部内に収容される。１つまたは複数の箇所に、ＲＦＩＤ読み取り器を配置することができる。従って、１つまたは複数の場所のどこに、搬送体２２１、２２８が存在しているのかを求めることができる。
【００５０】
搬送体２２１、２２８が配置されているＧＰＳ送信機の使用時には、ＧＰＳ送信器のＧＰＳ受信器は、搬送体２２１、２２８の目下の箇所を求めることができる。ＧＰＳ送信器の送信モジュール（例えばＧＰＲＳ、ＵＭＴＳまたはＬＴＥ送信器）は、搬送体２２１、２２８の求められた位置（例えば、求められたＧＰＳ座標）を、送信信号で送信することができる。送信信号の受信器（例えば印刷タスク管理ユニット２００）は、この場合に、搬送体２２１、２２８の目下の位置を求めることができる。
【００５１】
この方法３００は、さらに、搬送体２２１、２２８の求められた位置を、印刷タスクのＩＤと関連付けて格納することを含む。従って、効率的に、印刷タスクのＩＤを問い合わせることによって、印刷タスクの目下の位置も提供することができる（例えば、印刷タスク管理ユニット２００のモニター上に位置を表示することによって）。
【００５２】
印刷タスク管理ユニット２００は、この明細書に記載されている方法３００を実行するように構成可能である。さらに、印刷タスク管理ユニット２００を、搬送体２２１、２２８の（ひいては相応する印刷タスクの）求められた位置に関する情報を、印刷タスク管理ユニット２００の出力モジュール（例えばモニター）に出力するように構成することができる。
【００５３】
この明細書に記載されている方法によって、材料および／または印刷タスクの場所を迅速に特定することが可能になる。さらに、該当する製造タスクに対する、使用されている半製品の適切性を二重にコントロールすること、ひいては、存在する可能性のあるエラー源を低減することが可能になる。
【符号の説明】
【００５４】
１０  デジタルプリンタ、  １１、１１ａ−１１ｄ  印刷機構（前面）、  １２、１２ａ−１２ｄ  印刷機構（背面）、  ２０  記録担体、  ２１  ロール（入力）、  ２２  繰出し器、  ２３  調節機構、  ２４  反転ユニット、  ２５  レジスタユニット、  ２６  トラクション機構、  ２７  巻取り器、  ２８  ロール（出力）、  ３０  定着ユニット、  ４０  空調モジュール、  ５０  エネルギー供給部、  ６０  コントローラ、  ７０  液体管理部、  ７１  液体制御ユニット、  ７２  保管容器、  ２００  印刷タスク管理ユニット、  ２０１  入力モジュール、  ２０２  印刷タスク管理ユニットのメモリ、  ２０３  印刷データ／リソース、  ２０４  位置決定モジュール、  ２２１、２２８  搬送体、  ３００  印刷タスクのステータスを求めるための方法、  ３０１、３０２、３０３  ステップ
【図２】
2016108153.tif 000003
【図３】
2016108153.tif 000004
【図１】
2016108153.tif 000005